(57)【要約】【課題】扉体を開閉することなく、必要に応じて洗浄槽内を視認可能な状態と、視認不能な状態とに変更することができる食器洗い機を提供する。【解決手段】洗浄槽内に収容された食器を視認するための内側窓部６１ａ及び外側窓部６２ａを備え、洗浄槽に供給された洗浄水を食器に対して噴射するようにしてある食器洗い機における内側窓部６１ａに光透過率が変化する透過率変化部分、即ち濡れた場合の光透過率が乾燥した場合の光透過率より高くなるように形成された凹凸６１ｃを備える。【選択図】図４
2008113755.tif 000002
【特許請求の範囲】
【請求項１】
洗浄槽内に収容された食器を視認するための窓部を備え、前記洗浄槽に供給された水を食器に対して噴射するようにしてある食器洗い機において、
前記窓部は、光透過率が変化する透過率変化部分を備える
ことを特徴とする食器洗い機。
【請求項２】
前記透過率変化部分は、
濡れた場合の光透過率が乾燥した場合の光透過率より高くなるように形成された凹凸を備える
ことを特徴とする請求項１に記載の食器洗い機。
【請求項３】
前記透過率変化部分に対して水を噴射するノズルを備える
ことを特徴とする請求項２に記載の食器洗い機。
【請求項４】
前記洗浄槽は、
噴射されて該洗浄槽に付着した水を前記透過率変化部分へ導く導水経路を備える
ことを特徴とする請求項２又は請求項３に記載の食器洗い機。
【請求項５】
前記透過率変化部分及び食器を乾燥させるヒータを備える
ことを特徴とする請求項２乃至請求項４のいずれか一つに記載の食器洗い機。
【請求項６】
前記洗浄槽に供給された水を加熱するヒータを備え、
前記透過率変化部分は、
温度が昇／降した場合、光透過率が高／低するようにしてある
ことを特徴とする請求項１に記載の食器洗い機。
【請求項７】
食器に対して水を噴射するための洗浄ポンプを備え、
前記透過率変化部分は、
前記洗浄ポンプが駆動している場合に光を透過し、前記洗浄ポンプが停止している場合、遮光する液晶シャッタを備える
ことを特徴とする請求項１に記載の食器洗い機。
【請求項８】
前記窓部は前記洗浄槽に配されている
ことを特徴とする請求項１乃至請求項７のいずれか一つに記載の食器洗い機。
【請求項９】
前記洗浄槽は食器を出し入れするための開口部を有しており、
前記開口部を閉塞する扉体を備え、
前記窓部は前記扉体に配されている
ことを特徴とする請求項１乃至請求項８のいずれか一つに記載の食器洗い機。
【発明の詳細な説明】
【技術分野】
【０００１】
洗浄槽内に収容された食器を視認するための窓部を備え、洗浄槽に供給された水を食器に対して噴射するようにしてある食器洗い機に関する。
【背景技術】
【０００２】
従来の食器洗い機は、食器を出し入れするための開口部を正面側に有する洗浄槽を備えている。開口部は、扉体によって開閉自在に閉塞されており、扉体には洗浄槽の内部を視認可能にすべく透光性の窓部が設けられている。また、洗浄槽内には、食器が載置される食器かごが収容されており、洗浄水を加熱するヒータ、及び食器に対して洗浄水を噴射する噴射ノズルが配設されている。
このように構成された食器洗い機においては、扉体を閉じた状態で食器の汚れの落ち具合、又は食器に噴射された洗浄水の当たり具合等を洗浄槽外から視認することができる。
【０００３】
一方、特許文献１に係る食器洗浄機は、開口部を閉塞する上扉体及び下扉体を備えている。下扉体は、汚れた洗浄水が溜まる貯留部分を隠蔽するために不透光性部材で構成されており、上扉体には、食器の汚れの落ち具合、又は食器に噴射された洗浄水の当たり具合等を視認可能にする透光性の窓部が設けられている。
このように構成された食器洗い機においては、使用者は、不快感を覚えることなく、食器の汚れの落ち具合等を視認することができる。
【特許文献１】特開２００５−１１０９０３号公報
【発明の開示】
【発明が解決しようとする課題】
【０００４】
しかしながら、食器洗い機の使用態様によっては、汚れた食器を洗浄槽内に収容した状態で長時間放置される場合があり、汚れた食器が外部から長時間視認し得る状態におかれ、使用者に不快感を与えるという問題があった。
例えば、朝食時に使用した食器を食器かごに載置したものの、食器かごに空きスペースがある場合、使用者は、節電及び節水のために昼食時に使用した食器もまとめて洗浄しようと考え、朝食時に使用した食器を昼食後まで放置することがある。この場合、昼食時まで汚れた食器が洗浄槽外に晒された状態におかれるため、使用者は不快感を覚える。
【０００５】
本発明は斯かる事情に鑑みてなされたものであり、光透過率が変化する透過率変化部分を窓部に備えることにより、扉体を開閉することなく、使用者に不快感を与えないように、必要に応じて洗浄槽内を視認可能な状態と、視認不能な状態とに変更することができる食器洗い機を提供することを目的とする。
【０００６】
本発明の他の目的は、濡れた場合の光透過率が乾燥した場合の光透過率より高くなるように凹凸が形成された透過率変化部分を窓部に備えることにより、食器洗浄時には食器の汚れの落ち具合、食器に対する洗浄水の当たり具合等を視認可能にすることができ、非洗浄時には洗浄槽内を視認不能にして汚れた食器が使用者の目に入ることを防止することができる食器洗い機を提供することにある。
【０００７】
本発明の他の目的は、窓部の透過率変化部分に水を噴射するノズルを備えることにより、洗浄時に窓部を確実に濡らし、洗浄槽内を視認可能にすることができる食器洗い機を提供することにある。
【０００８】
本発明の他の目的は、噴射され、洗浄槽に付着した水を窓部の透過率変化部分へ導く導水経路を洗浄槽に備えることにより、噴射された洗浄水が食器に遮られた場合であっても、洗浄槽に付着した水を透過率変化部分に導いて濡らすことができ、洗浄時に洗浄槽内をより確実にしかも安定して視認可能にすることができる食器洗い機を提供することにある。
【０００９】
本発明の他の目的は、透過率変化部分及び食器を乾燥させるヒータを備えることにより、洗浄終了後、食器を乾燥させるとともに窓部を乾燥させることができ、非洗浄時には洗浄槽内を速やかに視認不能にして汚れた食器が使用者の目に入ることを確実に防止することができる食器洗い機を提供することにある。
【００１０】
本発明の他の目的は、温度が昇／降した場合、光透過率が高／低する透過率変化部分を窓部に備え、洗浄槽に供給された水をヒータで加熱するように構成することにより、加熱された水を噴射する洗浄時には食器の汚れの落ち具合、食器に対する洗浄水の当たり具合等を視認可能にすることができ、非洗浄時には洗浄槽内を視認不能にして汚れた食器が使用者の目に入ることを防止することができる食器洗い機を提供することにある。
【００１１】
本発明の他の目的は、液晶シャッタを有する透過率変化部分を窓部に備え、食器に対して水を噴射する洗浄ポンプが駆動している場合、液晶シャッタを開き、洗浄ポンプが停止している場合、液晶シャッタを閉じるように構成することにより、透過率変化部分の温度及び濡れ具合に関わらず、洗浄ポンプが駆動している食器洗浄時には食器の汚れの落ち具合、食器に対する洗浄水の当たり具合等を視認可能にすることができ、洗浄ポンプが停止している非洗浄時には洗浄槽内を視認不能にして汚れた食器が使用者の目に入ることを確実に防止することができる食器洗い機を提供することにある。
【００１２】
本発明の他の目的は、洗浄槽に前記窓部を配することにより、洗浄槽に設けられた窓部から食器洗浄時には洗浄槽内の食器を視認可能にすることができ、非洗浄時には洗浄槽内を視認不能にすることができる食器洗い機を提供することにある。
【００１３】
本発明の他の目的は、洗浄槽の開口部を閉塞する扉体に前記窓部を配することにより、扉体に設けられた窓部から食器洗浄時には洗浄槽内の食器を視認可能にすることができ、非洗浄時には洗浄槽内を視認不能にすることができる食器洗い機を提供することにある。
【課題を解決するための手段】
【００１４】
本発明に係る食器洗い機は、洗浄槽内に収容された食器を視認するための窓部を備え、前記洗浄槽に供給された水を食器に対して噴射するようにしてある食器洗い機において、前記窓部は、光透過率が変化する透過率変化部分を備えることを特徴とする。
【００１５】
本発明にあっては、窓部は光透過率が変化する透過率変化部分を有しているため、該透過率変化部分の光透過率を必要に応じて変化させることができる。例えば、食器に水を噴射する場合、透過率変化部分の光透過率を高く、食器に水を噴射しない場合、透過率変化部分の光透過率を低くすることができる。
【００１６】
本発明に係る食器洗い機は、前記透過率変化部分は、濡れた場合の光透過率が乾燥した場合の光透過率より高くなるように形成された凹凸を備えることを特徴とする。
【００１７】
本発明にあっては、食器に水が噴射された場合、噴射された水によって透過率変化部分が濡れる。透過率変化部分は、乾燥した場合の光透過率に比べて濡れた場合の光透過率の方が高くなるように形成された凹凸を備えているため、食器洗浄時には洗浄槽内部が視認可能になる。水が噴射されておらず、透過率変化部分が乾いている場合、光透過率が低くなり、洗浄槽内部が視認不能になる。
【００１８】
本発明に係る食器洗い機は、前記透過率変化部分に対して水を噴射するノズルを備えることを特徴とする。
【００１９】
本発明にあっては、ノズルは洗浄水に供給された水を透過率変化部分に噴射する。従って、噴射された水によって窓部は濡れ、光透過率が乾燥時に比べて高くなる。
【００２０】
本発明に係る食器洗い機は、前記洗浄槽が、噴射されて該洗浄槽に付着した水を前記透過率変化部分へ導く導水経路を備えることを特徴とする。
【００２１】
本発明にあっては、導水経路は、噴射されて洗浄槽に付着した水を透過率変化部分へ導く。従って、噴射された水によって透過率変化部分は濡れ、光透過率が乾燥時に比べて高くなる。
【００２２】
本発明に係る食器洗い機は、前記透過率変化部分及び食器を乾燥させるヒータを備えることを特徴とする。
【００２３】
本発明にあっては、食器洗い機は窓部及び食器を乾燥させるヒータを備えているため、食器洗浄終了後、食器を乾燥させるとともに窓部を速やかに乾燥させて、透過率変化部分の光透過率を低下させることができる。
【００２４】
本発明に係る食器洗い機は、前記洗浄槽に供給された水を加熱するヒータを備え、前記透過率変化部分は、温度が昇／降した場合、光透過率が高／低するようにしてあることを特徴とする。
【００２５】
本発明にあっては、ヒータによって加熱された水が噴射されるため、透過率変化部分の温度が上昇する。透過率変化部分は、温度が昇／降した場合、光透過率が高／低、つまり温度が高い程、光透過率が高くなる。従って、ヒータで加熱された水が噴射されている場合、透過率変化部分の光透過率は高くなり、洗浄槽内が視認可能になる。ヒータで加熱された水が噴射されていない場合、透過率変化部分の光透過率は低くなり、洗浄槽内が視認不能になる。
【００２６】
本発明に係る食器洗い機は、食器に対して水を噴射するための洗浄ポンプを備え、前記透過率変化部分は、前記洗浄ポンプが駆動している場合に光を透過し、前記洗浄ポンプが停止している場合、遮光する液晶シャッタを備えることを特徴とする。
【００２７】
本発明にあっては、洗浄ポンプが駆動し、水が噴射されている場合、透過率変化部分を構成する液晶シャッタは光を透過し、洗浄ポンプが停止し、水が噴射されていない場合、液晶シャッタは光を遮断する。従って、水が噴射されている場合、洗浄槽内を視認でき、水が噴射されていない場合、洗浄槽内を視認できない状態になる。
【００２８】
本発明に係る食器洗い機は、前記窓部は前記洗浄槽に配されていることを特徴とする。
【００２９】
本発明にあっては、透過率変化部分を備えた窓部が、洗浄槽に配されている。従って、洗浄槽の窓部から洗浄槽内を視認可能又は視認不能にすることができる。
【００３０】
本発明に係る食器洗い機は、前記洗浄槽は食器を出し入れするための開口部を有しており、前記開口部を閉塞する扉体を備え、前記窓部は前記扉体に配されていることを特徴とする。
【００３１】
本発明にあっては、透過率変化部分を備えた窓部が、洗浄槽の開口部を閉塞する扉体に配されている。従って、扉体の窓部から洗浄槽内を視認可能又は視認不能にすることができる。
【発明の効果】
【００３２】
本発明によれば、扉体を開閉することなく、使用者に不快感を与えないように、必要に応じて洗浄槽内を視認可能な状態と、視認不能な状態とに変更することができる。
【００３３】
本発明によれば、食器洗浄時には食器の汚れの落ち具合、食器に対する洗浄水の当たり具合を視認可能にすることができ、非洗浄時には視認不能にして汚れた食器が使用者の目に入ることを防止することができる。
【００３４】
本発明によれば、洗浄時に窓部を確実に濡らし、洗浄槽内を視認可能にすることができる。
【００３５】
本発明によれば、噴射された洗浄水が食器に遮られた場合であっても、洗浄槽に付着した水を透過率変化部分に導いて濡らすことができ、洗浄時に洗浄槽内をより確実にしかも安定して視認可能にすることができる。
【００３６】
本発明によれば、洗浄終了後に食器を乾燥させるとともに窓部を乾燥させることができ、非洗浄時には洗浄槽内を速やかに視認不能にして汚れた食器が使用者の目に入ることを確実に防止することができる。
【００３７】
本発明によれば、加熱された水を噴射する洗浄時には食器の汚れの落ち具合、食器に対する洗浄水の当たり具合を視認可能にすることができ、非洗浄時には視認不能にして汚れた食器が使用者の目に入ることを防止することができる。
【００３８】
本発明によれば、透過率変化部分の温度及び濡れ具合に関わらず、洗浄ポンプが駆動している食器洗浄時には食器を視認することができ、洗浄ポンプが停止している非洗浄時には汚れた食器が使用者の目に入ることを確実に防止することができる。
【００３９】
本発明によれば、洗浄槽に設けられた窓部から食器洗浄時には洗浄槽内の食器を視認可能にすることができ、非洗浄時には洗浄槽内を視認不能にすることができる。
【００４０】
本発明によれば、扉体に設けられた窓部から食器洗浄時には洗浄槽内の食器を視認可能にすることができ、非洗浄時には洗浄槽内を視認不能にすることができる。
【発明を実施するための最良の形態】
【００４１】
以下、本発明をその実施の形態を示す図面に基づいて詳述する。
（実施の形態１）
図１は、本発明の実施の形態１に係る食器洗い機の略示側断面図、図２は、食器洗い機の略示正面断面図、図３は食器洗い機の略示正面図である。図中２は、筐体１内部に間隙が生ずるように配された略直方体の洗浄槽である。筐体１及び洗浄槽２は、食器Ａを出し入れするための矩形の開口部２１を正面側に形成しており、開口部２１を上扉体６及び下扉体７にて閉塞するように構成されている。また、筐体１の正面側、下扉体７の下方には操作パネル９３が配設されている。操作パネル９３は、洗浄開始ボタン、洗浄停止ボタン、洗浄コース選択ボタン等を備えている。
【００４２】
洗浄槽２は、床への載置面１０に対して正面側へ下り傾斜した略矩形の底板２２を有しており、底板２２の周縁部分には載置面１０に対して略垂直の背面壁２３、側壁２４及び正面壁２５が形成され、背面壁２３及び側壁２４の上端には天板２６が形成されている。側壁２４の正面側端部は、床への載置面１０と略直交する垂直面２１ａ、垂直面２１ａの上部から洗浄槽２の後方へ傾斜する傾斜面２１ｂを有しており、正面壁２５の上端部及び天板２６の正面側端部と共に開口部２１を構成している。
【００４３】
天板２６は、正面側へ下り傾斜しており、天板２６に付着した洗浄水を上扉体６へ導く導水経路を兼ねている。
【００４４】
側壁２４には、食器Ａを載せた食器かご３を支持する図示しない支持レールが形成されており、底板２２には、食器かご３に載せられた食器Ａに洗浄水を噴射する複数の噴射ノズル４０、４０が横方向に並設されている。また、底板２２の正面側には、排水口２７が凹設されており、側壁２４における排水口２７の入口付近には、洗浄工程で洗浄水を加熱し、乾燥工程で食器Ａ、上扉体６及び下扉体７を乾燥させるためのヒータ５が突設されている。底板２２と筐体１との間には、排水口２７に貯留された洗浄水を噴射ノズル４０、４０へ供給する洗浄ポンプ９２、洗浄ポンプ９２の駆動を制御する図示しない制御部が配設されている。洗浄ポンプ９２は、正逆回転可能であり、逆回転することで洗浄水を洗浄槽２外へ排出するように構成されている。
【００４５】
制御部は、例えばマイクロコンピュータからなり、洗浄ポンプ９２による洗浄水の噴射、ヒータ５の加熱等を制御することにより、洗浄工程、すすぎ工程、乾燥工程を順次実行するように構成されている。
【００４６】
より具体的には、操作パネル９３の洗浄開始ボタンが押圧された場合、制御部は、図示しない給水弁を開閉することによって、洗浄水を洗浄槽２に供給する。そして、制御部は、洗浄ポンプ９２を駆動し、ヒータ５への通電を開始させることで、食器Ａを洗浄する。洗浄ポンプ９２は洗浄水を加圧して、噴射ノズル４０、４０に供給し、洗浄水を食器Ａに噴射させる。食器Ａに噴射された洗浄水は、排水口２７、洗浄ポンプ９２を通じて、再び噴射ノズル４０，４０に供給され、洗浄槽２内を循環する。次いで、制御部は、洗浄ポンプ９２の駆動、給水弁の開閉を繰り返して食器Ａをすすぎ、洗浄水の排水後にヒータ５への通電を開始させて食器Ａを乾燥させる。
【００４７】
上扉体６は、各側壁２４の正面側端部に倣い、開口部２１の上半分を覆うように形成されており、２本の板状の上扉支持腕９１（図４参照）によって上下回動可能に支持されている。洗浄槽２を構成する両側壁２４の外側、上方の背面寄り部分には、図示しない枢軸が突設されており、各枢軸によって上扉支持腕９１の一端側が枢支されている。
【００４８】
図４は、上扉体６の略示拡大側断面図である。上扉体６は、側壁２４の傾斜面２１ｂに倣って傾斜する傾斜部６ａと、傾斜部６ａに連なり、側壁２４の垂直面２１ａに倣う垂直部６ｂとを有している。
【００４９】
傾斜部６ａは、洗浄槽２側を臨む内壁６１と、洗浄槽２の外部に露出した外壁６２とを備え、内壁６１及び外壁６２は所定の間隙が生ずるように相対向している。内壁６１の下部には底部６３が外壁６２側へ延設されており、底部６３には外壁６２の下端部が密着している。また、内壁６１及び外壁６２の上端には上扉体６の上側を覆う天部６４が設けられており、上扉体６の横方向両側も天部６４に連続する図示しない側部によって覆われている。
【００５０】
また、内壁６１及び外壁６２の略中央部には、洗浄槽２内の食器Ａを視認可能にすべく、横長略矩形をなす透光性の内側窓部６１ａ及び外側窓部６２ａが夫々設けられており、内側窓部６１ａ及び外側窓部６２ａの周縁には非透光性の枠部６１ｂ、６２ｂが形成されている。内側窓部６１ａ及び外側窓部６２ａは、洗浄槽２の横幅と略同一の横幅と、食器Ａを洗浄槽２の外部から視認するために必要な所定長の縦幅とを有している。また、内側窓部６１ａは洗浄槽２側に光透過率可変の透過率変化部分、即ち濡れた場合の光透過率が乾燥した場合の光透過率に比べて高くなるように、すりガラス状にマット加工された凹凸６１ｃが形成されている。
マット加工された内側窓部６１ａは、すりガラスが乾燥時には不透明であるが、表面に水滴を付着させ、又はセロハンテープを貼り付けた場合、透明に変化するのと同様、水滴が付着した場合、洗浄槽２内部を視認できるようになり、乾燥した場合、洗浄槽２内部を視認できなくなる。
【００５１】
垂直部６ｂは、上扉体６の外形をなすフレーム６５、該フレーム６５の正面側に配された補強板６６、及び該補強板６６の更に正面側に配された化粧板６９を備えている。補強板６６の上部には乾燥工程で発生した蒸気を排出する排気口６７が設けられている。排気口６７の洗浄槽２側には、洗浄水が排気口６７を通じて外部へ漏れ出ることを防止するために排気口カバー６８が設けられている。
【００５２】
下扉体７は、各側壁２４の正面側端部に倣って開口部２１の下半分を覆うように形成されており、洗浄槽２の側壁２４に枢支されている。また、下扉体７の正面側における上側、左右方向略中央部には押しボタン式の開扉ボタンが設けられている。
【００５３】
このように構成された実施の形態１に係る食器洗い機にあっては、食器洗浄時には噴射ノズル４０，４０から噴射された洗浄水が透過率変化部分の凹凸６１ｃに付着し、透過率変化部分が濡れるため、光透過率が高くなり、洗浄槽２内の食器Ａを視認できる状態になる。
洗浄水の噴射を終えた場合、ヒータ５にて食器Ａと共に透過率変化部分の凹凸６１ｃを乾燥させるため、内側窓部６１ａの光透過率が低くなる。
従って、上扉体６及び下扉体７を開閉することなく、上扉体６に設けられた外側窓部６２ａ及び内側窓部６１ａを介して、食器洗浄時には食器Ａの汚れの落ち具合、食器Ａに対する洗浄水の当たり具合を視認可能にすることができ、非洗浄時には視認不能にして汚れた食器Ａが使用者の目に入ることを防止することができる。
【００５４】
また、噴射された洗浄水が食器Ａに遮られた場合であっても、洗浄槽２に付着した水を透過率変化部分の凹凸６１ｃに導いて濡らすことができ、洗浄時に洗浄槽２内をより確実にしかも安定して視認可能にすることができる。
【００５５】
更に、光透過率変化部分をマット加工にて形成しているため、低コストで上述の効果を有する食器洗い機を構成することができる。
【００５６】
なお、実施の形態１に係る食器洗い機にあっては、内側窓部をマット加工することにより、光透過率が変化する透過率変化部分を形成しているが、光透過率を変化させることができる構成であれば、他の構成であっても良い。
【００５７】
また、付着した洗浄水を上扉体の内側窓部へ導く導水経路と、洗浄槽の天板とを兼用しているが、専用の導水経路を洗浄槽内に設けても良い。
【００５８】
更に、洗浄槽内に配設したヒータによって内側窓部を乾燥させるように構成しているが、内側窓部近傍又は内側窓部に専用のヒータを配するように構成しても良い。このように構成した場合、内側窓部をより速やかに乾燥させることができ、洗浄槽内を視認不能にすることができる。
【００５９】
（実施の形態２）
図５は、本発明の実施の形態２に係る食器洗い機の略示側断面図、図６は、食器洗い機の略示正面断面図である。実施の形態２に係る食器洗い機は、内側窓部６１ａに設けられた透過率変化部分の凹凸６１ｃに洗浄水が直接噴射されるように構成されている点が実施の形態１に係る食器洗い機と異なるため、以下で主に上記相違点について説明する。
【００６０】
実施の形態２に係る食器洗い機は、洗浄ポンプ９２と噴射ノズル４０，４０との間で分岐しており、透過率変化部分の凹凸６１ｃに洗浄水を直接噴射する窓部用噴射ノズル４１へ洗浄水を供給するための給水管４２を備えている。給水管４２は、底板２２の背面側、横方向略中央部分から上方へ突出し、洗浄槽２の背面壁２３に沿って上方へ延設され、更に背面壁２３の上端から天板２６に沿って正面側へ延設されている。そして、給水管４２の先端部には窓部用噴射ノズル４１が設けられている。
【００６１】
窓部用噴射ノズル４１は、内側窓部６１ａへ洗浄水を噴射するための複数の噴射孔４１ａを備えており、複数の噴射孔４１ａは横方向に並設されている。
【００６２】
実施の形態２に係る食器洗い機にあっては、窓部用噴射ノズル４１によって洗浄水を透過率変化部分の凹凸６１ｃに直接噴射することができ、洗浄時に透過率変化部分の凹凸６１ｃを確実に濡らし、洗浄槽２内を視認可能にすることができる。
【００６３】
また、内側窓部６１ａの凹凸６１ｃに洗浄水を噴射することにより、内側窓部６１ａに付着した残滓を除去することができ、洗浄槽２内の視認性を確保することができる。
【００６４】
実施の形態２に係る食器洗い機の他の構成、作用及び効果は、実施の形態１に係る食器洗い機の構成、作用及び効果と同様であるため、対応する箇所には同様の符号を付して詳細な説明を省略する。
【００６５】
（実施の形態３）
図７は、本発明の実施の形態３に係る食器洗い機の略示側断面図、図８は、食器洗い機の略示正面断面図である。本発明の実施の形態３に係る食器洗い機は、内側窓部３２４ａ及び外側窓部３１４ａを洗浄槽３０２及び筐体３０１に備えている点が実施の形態１に係る食器洗い機と異なるため以下では主に上記相違点について説明する。
【００６６】
本発明の実施の形態３に係る食器洗い機は、実施の形態１に係る食器洗い機と同様の筐体３０１、洗浄槽３０２、上扉体６及び下扉体７等をそなえている。
【００６７】
洗浄槽３０２は、実施の形態１に係る洗浄槽２と同様の底板３２２、背面壁３２３、側壁３２４、正面壁３２５、天板３２６及び排水口３２７を備えており、筐体３０１は、載置面３１０、洗浄槽３０２の側壁３２４に対向する側壁３１４等を備えている。洗浄槽３０２の一の側壁３２４と、側壁３２４に対向する筐体３０１の側壁３１４とは間隙を有しており、各側壁３１４、３２４には、食器Ａの洗浄具合、食器Ａへの洗浄水の当たり具合などを視認可能にすべく、略矩形の透光性の外側窓部３１４ａ及び内側窓部３２４ａが相対向するように設けられている。
【００６８】
図９は、内側窓部３２４ａの略示拡大側面図、図１０は、筐体３０１及び洗浄槽３０２に設けられた外側窓部３１４ａ及び内側窓部３２４ａの略示拡大正面断面図である。内側窓部３２４ａは洗浄槽３０２側に光透過率が変化する透過率変化部分、即ち乾燥した場合の光透過率に比べて濡れた場合の光透過率が高くなるようにマット加工された凹凸３２４ｃが形成されている。外側窓部３１４ａは、透光性を有する合成樹脂、ガラス等で構成されている。また、外側窓部３１４ａ及び内側窓部３２４ａの外縁には非透光性の枠部３１４ｂ、３２４ｂが形成されている。
【００６９】
実施の形態３に係る食器洗い機にあっては、食器洗浄時には噴射ノズル４０，４０から噴射された洗浄水が透過率変化部分の凹凸３２４ｃに付着し、透過率変化部分が濡れるため、光透過率が高くなり、洗浄槽３０２内の食器Ａを視認できる状態になる。
洗浄水の噴射を終えた場合、ヒータ５にて食器Ａと共に透過率変化部分の凹凸３２４ｃが乾燥するため、光透過率が低くなる。
従って、筐体３０１及び洗浄槽３０２に設けられた外側窓部３１４ａ及び内側窓部３２４ａを介して、食器洗浄時には食器Ａの汚れの落ち具合、食器Ａに対する洗浄水の当たり具合を視認可能にすることができ、非洗浄時には視認不能にして汚れた食器Ａが使用者の目に入ることを防止することができる。
【００７０】
実施の形態３にあっては、窓部３１４ａ、３２４ｂを筐体３０１及び洗浄槽３０２の側壁３１４、３２４に設けているが、筐体３０１及び洗浄槽３０２の天側、背面側等に設けても良い。
【００７１】
実施の形態３に係る食器洗い機の他の構成、作用及び効果は、実施の形態１に係る食器洗い機の構成、作用及び効果と同様であるため、対応する箇所には同様の符号を付して詳細な説明を省略する。
【００７２】
（実施の形態４）
図１１は、本発明の実施の形態４に係る食器洗い機の略示側断面図、図１２は、食器洗い機の略示正面断面図である。実施の形態４に係る食器洗い機は、内側窓部３２４ａに洗浄水が直接噴射されるように構成されている点が実施の形態３に係る食器洗い機と異なるため、以下で主に上記相違点について説明する。
【００７３】
実施の形態４に係る食器洗い機は、洗浄ポンプ９２と噴射ノズル４０，４０との間で分岐しており、洗浄水を内側窓部３２４ａに直接噴射する窓部用噴射ノズル４４１へ洗浄水を供給するための給水管４４２を備えている。給水管４４２は、底板３２２の背面側、横方向一端側から上方へ突出し、洗浄槽３０２の側壁３２４に沿って上方へ延設され、内側窓部３２４ａの上方に先端が位置するように鉤型に屈曲形成されている。そして、給水管４４２の先端部には窓部用噴射ノズル４４１が設けられている。窓部用噴射ノズル４４１は、内側窓部３２４ａへ洗浄水を噴射するための噴射孔４４１ａを備えている。
【００７４】
実施の形態４に係る食器洗い機にあっては、窓部用噴射ノズル４４１によって洗浄水を透過率変化部分の凹凸３２４ｃに直接噴射することができ、洗浄時に透過率変化部分の凹凸３２４ｃを確実に濡らし、洗浄槽３０２内を視認可能にすることができる。
【００７５】
実施の形態４に係る食器洗い機の他の構成、作用及び効果は、実施の形態１に係る食器洗い機の構成、作用及び効果と同様であるため、対応する箇所には同様の符号を付して詳細な説明を省略する。
【００７６】
（実施の形態５）
図１３は、実施の形態５に係る食器洗い機が備える上扉体５０６の略示拡大側断面図である。
【００７７】
上扉体５０６は、実施の形態１に係る上扉体と同様の傾斜部６ａ及び垂直部６ｂを有している。傾斜部６ａは、洗浄槽２側を臨む内壁５６１と、洗浄槽２の外部に露出した外壁６２とを備え、内壁５６１及び外壁６２は所定の間隙が生ずるように相対向している。内壁５６１は及び外壁６２の略中央部には、洗浄槽２内の食器Ａを視認可能にすべく、横長略矩形をなす透光性の内側窓部５６１ａ及び外側窓部６２ａが夫々設けられており、内側窓部５６１ａ及び外側窓部６２ａの周縁には非透光性の枠部５６１ｂ、６２ｂが形成されている。
【００７８】
内側窓部５６１ａは、温度に応じて光透過率が変化する物質からなる薄膜状の透過率変化層５６１ｃを備えている。透過率変化層５６１ｃは、温度に応じて色が変化するマイクロカプセル化された色素を有する印刷用油性インク、例えばクロミカラー（登録商標）を内側窓部５６１ａの洗浄槽２側に塗布することにより形成することができる（http://www.msc-color.co.jp/product/fn_chromicolor.html）。前記マイクロカプセル化された色素は、例えば４０度以下で有色、５０度以上で無色に変化する。つまり、内側窓部５６１ａは、温度が低い程、光透過率が低く、温度が高い程、光透過率が高くなる。
【００７９】
実施の形態５に係る食器洗い機にあっては、ヒータ５にて加熱された洗浄水が内側窓部５６１ａに噴射された場合、内側窓部５６１ａの透過率変化層５６１ｃの温度が高くなる。従って、光透過率が高くなり、加熱された水を噴射する洗浄時には食器の汚れの落ち具合、食器に対する洗浄水の当たり具合を視認可能にすることができる。
加熱された洗浄水の噴射が停止した場合、内側窓部５６１ａの透過率変化層５６１ｃの温度が低くなる。従って、光透過率が低くなり、非洗浄時には視認不能にして汚れた食器が使用者の目に入ることを防止することができる。
【００８０】
実施の形態５に係る食器洗い機の他の構成、作用及び効果は、実施の形態１に係る食器洗い機の構成、作用及び効果と同様であるため、対応する箇所には同様の符号を付して詳細な説明を省略する。
【００８１】
（実施の形態６）
図１４は、実施の形態６に係る食器洗い機が備える上扉体６０６の略示拡大側断面図である。実施の形態６に係る食器洗い機は、実施の形態１に係る食器洗い機と同様の構成であり、外側窓部６２ａ及び内側窓部６１ａの光透過率を高／低させる液晶シャッタ６１ｄを備えている点が実施の形態１に係る食器洗い機と異なるため、以下では主に上記相違点を説明する。
【００８２】
液晶シャッタ６１ｄは、外側窓部６２ａと、内側窓部６１ａとの間に、内側窓部６１ａを覆うように配設されている。液晶シャッタ６１ｄは、対向配置された略長方形の２枚のガラス基板及び該ガラス基板に封入された液晶を備えている。ガラス基板には液晶に電圧を印可するための電極が設けられている。液晶への電圧の印可は制御部９４（図１５参照）が制御するように構成されている。また、ガラス基板の外側には、電極に電圧が印可された場合に光を透過し、電圧が印可されていない場合に光を遮断するように、偏光フィルムが配されている。
【００８３】
図１５は、制御部９４の構成を示すブロック図である。制御部９４は、例えばＣＰＵ９４ａを有するマイクロコンピュータからなり、ＣＰＵ９４ａには、バス９４ｇを介してＲＯＭ９４ｂ、ＲＡＭ９４ｄ、計時部９４ｆ、入力部９４ｃ、出力部９４ｅが接続されている。入力部９４ｃには操作パネル９３が接続されている。出力部９４ｅには、液晶シャッタ６１ｄ、洗浄ポンプ９２、ヒータ５等が接続されている。
【００８４】
ＲＯＭ９４ｂは、食器の洗浄、液晶シャッタ６１ｄの開閉に係るコンピュータプログラムを記憶している。ＣＰＵ９４ａは、前記コンピュータプログラムをＲＡＭ９４ｄに読み出して実行することにより、液晶シャッタ６１ｄの開閉を制御する。具体的には、ＣＰＵ９４ａは、洗浄ポンプ９２を駆動している場合、液晶シャッタ６１ｄを開き、洗浄ポンプ９２を停止させた場合、液晶シャッタ６１ｄを閉じるように、液晶シャッタ６１ｄの開閉を制御する。
【００８５】
実施の形態６に係る食器洗い機にあっては、内側窓部６１ａの温度及び濡れ具合に関わらず、洗浄ポンプ９２が駆動している食器洗浄時には食器Ａを視認することができ、洗浄ポンプ９２が停止している非洗浄時には汚れた食器Ａが使用者の目に入ることを確実に防止することができる。
【００８６】
実施の形態６に係る食器洗い機の他の構成、作用及び効果は、実施の形態１に係る食器洗い機の構成、作用及び効果と同様であるため、対応する箇所には同様の符号を付して詳細な説明を省略する。
【図面の簡単な説明】
【００８７】
【図１】本発明の実施の形態１に係る食器洗い機の略示側断面図である。
【図２】本発明の実施の形態１に係る食器洗い機の略示正面断面図である。
【図３】本発明の実施の形態１に係る食器洗い機の略示正面図である。
【図４】本発明の実施の形態１に係る上扉体の略示拡大側断面図である。
【図５】本発明の実施の形態２に係る食器洗い機の略示側断面図である。
【図６】本発明の実施の形態２に係る食器洗い機の略示正面断面図である。
【図７】本発明の実施の形態３に係る食器洗い機の略示側断面図である。
【図８】本発明の実施の形態３に係る食器洗い機の略示正面断面図である。
【図９】本発明の実施の形態３に係る内側窓部の略示拡大側面図である。
【図１０】本発明の実施の形態３に係る筐体及び洗浄槽に設けられた外側窓部及び内側窓部の略示拡大正面断面図である。
【図１１】本発明の実施の形態４に係る食器洗い機の略示側断面図である。
【図１２】本発明の実施の形態４に係る食器洗い機の略示正面断面図である。
【図１３】実施の形態５に係る食器洗い機が備える上扉体の略示拡大側断面図である。
【図１４】実施の形態６に係る食器洗い機が備える上扉体の略示拡大側断面図である。
【図１５】制御部の構成を示すブロック図である。
【符号の説明】
【００８８】
１  筐体
２  洗浄槽
３  食器かご
５  ヒータ
６  上扉体
７  下扉体
１０  載置面
２１  開口部
２６  天板（導水経路）
４０  噴射ノズル
４１，４４１  窓部用噴射ノズル（ノズル）
６１ａ，３１４ａ，５６１ａ  内側窓部（窓部）
６２ａ，３２４ｂ，５６１ｂ  外側窓部（窓部）
６１ｃ，３１４ｃ  凹凸（透過率変化部分）
６１ｄ  液晶シャッタ（透過率変化部分）
９２  洗浄ポンプ
９４  制御部
５６１ｃ  透過率変化層（透過率変化部分）
Ａ  食器
【図１】
2008113755.tif 000003
【図２】
2008113755.tif 000004
【図３】
2008113755.tif 000005
【図４】
2008113755.tif 000006
【図５】
2008113755.tif 000007
【図６】
2008113755.tif 000008
【図７】
2008113755.tif 000009
【図８】
2008113755.tif 000010
【図９】
2008113755.tif 000011
【図１０】
2008113755.tif 000012
【図１１】
2008113755.tif 000013
【図１２】
2008113755.tif 000014
【図１３】
2008113755.tif 000015
【図１４】
2008113755.tif 000016
【図１５】
2008113755.tif 000017